Podtech/llm-jp-corpus-v4-ja_patent huggingface dataset:
(57)【要約】      （修正有）【課題】雨水などにより、濡れた状態になっても、歩行者、自転車などが通過する際、滑りにくく、視覚的にも目立ち、重ね置きが可能で、ヒートアイランド防止にも効果のある敷鉄板を提供する。【解決手段】敷鉄板２は、鉄板の表面に、平均粒径が３ｍｍ以下の赤煉瓦色を有する陶器瓦の粉砕物５が接着剤４により固着されている。【選択図】図１
0003212688.tif 000002
【実用新案登録請求の範囲】
【請求項１】
鉄板の表面に、平均粒径が３ｍｍ以下の陶器瓦の粉砕物が接着剤により固着されていることを特徴とする敷鉄板。
【考案の詳細な説明】
【技術分野】
【０００１】  本考案は、仮設工事等に使用される敷鉄板に関する。
【背景技術】
【０００２】  従来の敷鉄板の表面は、平滑面となっており、雨水などにより、濡れた状態になると、歩行者、自転車などが敷鉄板を通過する際、滑りやすくなる。そこで、図６に示すように、敷鉄板の表面に、多数の突起物を設けることが提案されている（特許文献１参照）
【先行技術文献】
【特許文献】
【０００３】
【特許文献１】実用新案登録第３１２２６３４号公報
【考案の概要】
【考案が解決しようとする課題】
【０００４】  しかしながら、多数の突起物を設けた敷鉄板では、
１．突起物の影響で取扱が困難になる。
２．突起物の付加により、鉄板の重量が増加する。
３．溶接等の影響により鉄板の強度が低下する。
４．同色のため、つまずき転倒する事が予想される。
という問題がある。本考案を係る問題点を解消するためになされたものである。
【課題を解決するための手段】
【０００５】  本考案の敷鉄板は、鉄板の表面に、平均粒径が３ｍｍ以下の粒径の陶器瓦の粉砕物が接着剤により固着されていることを特徴とする。
【考案の効果】
【０００６】  本考案の敷鉄板は、鉄板の表面に、平均粒径が３ｍｍ以下の陶器瓦の粉砕物が接着剤により固着されていることにより、
１．瓦の持つ赤煉瓦色により、視覚的にも目立ち安全性が向上する。
２．鉄比重７．８７に対し瓦比重１．３０と、１／６の数値であり、１．５ｍ×３．０ｍ    の鉄板に塗布した場合においては１７．５Ｋｇしか増加しない。
３．最大の凹凸が接着剤の塗膜厚も含め４ｍｍ以下であるため、従来どおり重ね置きが可    能であり、取扱易い。
４．溶接等の加熱を加えて固着しないため、鉄板自体の強度が低下しない。
５．瓦の特性でもある熱伝導率が小さく、照り返しが少ないため、ヒートアイランド防止    にも効果が期待できる。
（鉄の熱伝導率７２Ｋｃａｌ／ｈ．ｍ．℃に対し０．３Ｋｃａｌ／ｈ．ｍ．℃）
６．再生材を使用することにより、産業廃棄物の発生抑制・減量化・リサイクルにも貢献    できる。
という効果がある。
【図面の簡単な説明】
【０００７】
【図１】本考案に係る敷鉄板を示す図である。
【図２】本考案に係る敷鉄板の製作する第１工程を示す図である。
【図３】本考案に係る敷鉄板の製作する第２工程を示す図である。
【図４】本考案に係る敷鉄板の製作する第３工程を示す図である。
【図５】本考案に係る敷鉄板の製作する第４工程を示す図である。
【図６】従来の敷鉄板を示す図である。
【考案を実施するための形態】
【０００８】  図１に、本考案の係る敷鉄板の一実施例を示す。
図１に示すように鉄板２の表面に平均粒径が３ｍｍ以下の陶器瓦の粉砕物５が接着剤４により固着されている。
陶器瓦の粉砕物５は、赤煉瓦色を有しており、鉄板２への付着状態が確認しやすい。平均粒径が３ｍｍ以下の陶器瓦の粉砕物５は、利用価値が限られているが、本考案のように、滑り止めとして利用することにより、利用価値が高まる。
図２から図５は、図１の敷鉄板の製作工程を示す。まず、図２に示すように、鉄板２を平坦な場所に設置する。次に、図３に示すように、鉄板２の表面に、エポキシ樹脂系接着剤４を、ローラーを使用し、均一に塗布する。次に、図４に示すように、平均粒径が０ｍｍ以上３ｍｍ以下の陶器瓦の粉砕物５をスコップ等でほぼ均一に散布する。そして、接着剤４が所定の養生期間を経過した後、図５に示すように、高圧洗浄機６で鉄板２の表面を水にて洗浄し、散布が多すぎ固着しなかった余分な粉砕物５を除去する。
【０００９】  尚、接着剤の養生期間によっては、剥離等の問題が発生するため、外気温度に応じて、養生する期間を調整する必要がある。
また、粉砕物がすり減った場合のメンテナンスもハケや筆にて接着剤を塗布し瓦の粉砕物を掛けることにて安易に出来る。
陶器瓦の粉砕物は、３ｍｍ以下、３〜５ｍｍ、５〜１０ｍｍ  に分別され、売買されているが、３ｍｍ以下のものは、需要が少ない状況であるが、本考案により、需要喚起が見込まれる。
【産業上の利用可能性】
【００１０】  本考案の敷鉄板は、安全性と利便性を兼ね備えた製品であり、将来的に循環型製品として需要が出る。
【符号の説明】
【００１１】１  タイヤ
２  敷き鉄板
３  雨水による水膜
４  接着剤
５  陶器瓦の粉砕物
６  高圧洗浄機
【図１】
0003212688.tif 000003
【図２】
0003212688.tif 000004
【図３】
0003212688.tif 000005
【図４】
0003212688.tif 000006
【図５】
0003212688.tif 000007
【図６】
0003212688.tif 000008
(57)【要約】      （修正有）【目的】タンク内洗浄装置を構成する導水管及び開口管を連結するための止め具として、割ピンあるいはスナップピンは、本来、小さいので組み付け難い。また、タンクに付設した攪拌機の振動等により経年劣化し、割れて出口弁に挟まりバルブの機能を果たせなくなる。あるいは、異物混入となる。これらの困難を解決する連結管装置を提供する。【構成】カギ状の切り欠きを対照的に施した開口管６を、切り欠きの到達点に相対する位置に孔を通した導水管３に嵌め合わせて、導水管の孔に挿し込む軸棒９をもって連結し、このタンク内洗浄機の開口管及びこれに接合したシャワーボール５を吊下げる。【選択図】図１
0003212681.tif 000002
【実用新案登録請求の範囲】
【請求項１】
カギ状の切り欠きを対照的に施した開口管を、この切り欠きの到達点に相対する位置に孔を通した導水管に嵌め合わせて、導水管の孔に挿し込まれる軸棒をもって連結して、タンク内洗浄機の開口管及びこれに接合したシャワーボールを吊下げる連結管装置。
【考案の詳細な説明】
【技術分野】
【０００１】  本考案は、タンク内洗浄機のシャワーボールに接合した開口管と導水管を連結する装置に関する。
【背景技術】
【０００２】  食品・薬品・化粧品の製造工場では、粉末や液体の食品・薬品・化粧品を大量に保管するために、ステンレス製のタンクを設備する。その結果、タンクの内壁に沈殿物が必然的に付着することになる。
そこで、タンク内部を定期的に洗浄する必要がある。導水管を通して供給した液体を開口管と接合したシャワーボールの多数の穴より噴出させてタンクの内部を洗浄するタンク内洗浄装置を一般とする。
タンク内洗浄装置を構成する導水管に開口管を連結するとき、従来、これら二つの管に通した孔に挿し込む軸棒の一端をスナップピンで挟み、あるいは、小穴を開けて割ピンを刺して、軸棒の留め具としている。
【考案の開示】
【考案が解決しようとする課題】
【０００３】  本考案の解決しようとする問題点は、次の通りである。【０００４】  タンク内洗浄装置において、開口管と導水管を連結するとき、従来、割ピンあるいはスナップピンを軸棒の留め具として使用することに問題がある。
これらのピンは、本来、小さなものだから組み付けが難しくなる。また、タンクに付設した攪拌機の振動等によって経年劣化し、ピンが割れて出口弁に挟まりバルブの機能を果たせなくなり、あるいは、異物の混入にもなる。
【課題を解決するための手段】
【０００５】  本考案の解決する手段は、次の通りである。【０００６】  先ず、タンク内洗浄装置（１）において、洗浄液を供給する導水管（３）に、洗浄液を散布するシャワーボール（５）に接合した開口管（６）を嵌め合わせて連結する、という連結管装置（２）である。
次に、一定のカギ状の切り欠き（７）を対照的に施した開口管（６）、また、このカギ状の切り欠き（７）の到達点である最終ポイント（８）に相当する位置に孔（４）を通した導水管（３）、更に、導水管（３）の孔（４）に挿し込まれる軸棒（９）からなる、連結管装置（２）である。
最後に、開口管（６）の切り欠き（７）の最終ポイント（８）と導水管（３）の孔（４）を合わせ、かつ、導水管（３）に開口管（６）を嵌め合わせて連結し、軸棒（９）をもって開口管（６）及びシャワーボール（５）を吊下げる、という連結管装置（２）である。
【考案の効果】
【０００７】  本考案の効果は、次の通りである。【０００８】  本考案は、タンク内洗浄機において、開口管（６）と導水管（３）を連結するとき、従来のように、軸棒（９）の止め具として、割ピンあるいはスナップピンを使用するものではない。したがって、組み付けは容易となり、また、経年劣化によって異物混入という問題は起こらない。
そして、本考案によると、開口管（６）と導水管（３）の連結によって、タンク内洗浄機（１）は安定したものとなり、横揺れや縦揺れによるってズレを生ずることがないし、また、この装置（２）の構造によって、切り欠き（７）をすべて塞いでしまうので、液体の漏れる心配もない。
【図面の簡単な説明】
【０００９】
【図１】  本考案に係るタンク内洗浄機の連結管装置に関する正面図である。
【図２】  本考案に係るタンク内洗浄機の連結管装置に関する分解図及び使用図である。
【符号の説明】
【００１０】  １  タンク内洗浄機
２  連結管装置
３  導水管
４  導水管の孔
５  シャワーボール
６  開口管
７  開口管の切り欠き
８  最終ポイント
９  軸棒
１０  操作の方向
【考案を実施するための形態】
【００１１】  本考案の実施の形態である。
【００１２】  本考案は、タンク内洗浄機（１）において、シャワーボール（５）に接合した開口管（６）を導水管（３）に嵌め合わせて軸棒をもって連結する装置（２）であり、導水管（３）及び開口管（６）と軸棒（９）から構成されている。
タンク内洗浄機（１）を構成する導水管（３）及び開口管（６）は円管を一般的とし、また、軸棒（９）を含めて、ステンレスを材質とする。
本考案は、開口管（６）にはカギ状の切り欠き（７）を対照的に施し、導水管（４）にはこの切り欠き（７）の到達点である最終ポイント（８）に相当する位置に軸棒（９）を挿し込む孔（４）を通し、軸棒（９）をもって開口管（６）及びこれに接合するシャワーボール（５）を吊下げる連結管装置（２）である。
そうすると、開口管（６）及び導水管（３）に施したカギ状の切り欠き（７）とそれに相対する孔（４）との配置の態様に伴って、本考案の実施はいろいろな形態と成り得る。
図面１及び２によると、開口管（６）の上辺より縦に下り直角に曲折して横に進んだ後に再び曲折して縦に上り、最終ポイント（８）に至る、という切り欠き（７）を対照的に施し、また、導水管（３）の下辺にはこの最終ポイント（８）に対応する位置に軸棒（９）を挿し込む孔（４）を通すものである。
その結果、軸棒（９）は、導水管（３）及び開口管（６）の直径を超える長さを取り、また、導水管（３）の孔（４）に挿し込みできる太さとし、かつ、軸棒（９）の調整を容易にするために、切り欠き（７）の幅よりも両端を細いものとする。
この実施例によると、先ず、導水管（３）に軸棒（９）を挿し込み（１０）、次に、切り欠き（７）に合わせて開口管（６）を導水管（３）に嵌め込み（１０）、更に、開口管（６）の切り欠き（７）に沿って調整し（１０）、最後に、切り欠き（７）の最終ポイント（８）に至り（１０）、導水管（３）によってシャワーボール（５）及び開口管（６）を吊下げることになる。
【図１】
0003212681.tif 000003
【図２】
0003212681.tif 000004
(57)【要約】      （修正有）【課題】一台の卵焼き器を多目的に使うことができると共に、効率よく調理できる卵焼き器用蓋を提供する。【解決手段】卵焼き器用蓋１は、卵焼き器の開口部全体を覆い、取っ手に対応する切欠け３を設ける構成になっている。そのことにより、安定、安全に蓋が使え、一つの卵焼き器で、温める、蒸す、焼く、煮るなど多目的な調理に使える。熱効率も良く、調理器具を最小限の数で済ますことができ、時間、水、洗剤等の節約につながる。【選択図】図３
0003212684.tif 000002
【実用新案登録請求の範囲】
【請求項１】
卵焼き器の開口部全体を覆い、上面が略矩形の形状を有することを特徴とする卵焼き器用蓋。
【請求項２】
前記略矩形の周縁に於いて前記卵焼き器の取っ手に対応する部分に切欠けを設けたことを特徴とする請求項１に記載の卵焼き器用蓋。
【考案の詳細な説明】
【技術分野】
【０００１】  本考案は調理器具の蓋に関するものである。
【背景技術】
【０００２】  お弁当のおかずとしては、定番の卵焼きとそれ以外の数種類のおかずを作ることが多い。この時、卵焼きは卵焼き器で作り、卵焼き以外のお弁当のおかずはそれぞれの調理に適した複数の調理器具を使い分けて調理していた。
図５に卵焼き器の外観図を示す。同図において、一般的に卵焼き器１１は、開口部の形状が矩形形状で取っ手１２を備えた構成をしている。一般的な卵焼き器は、取っ手が斜め上に出っ張っているものが多い。
卵焼きを作るときは、その料理内容の性質上、卵焼き器には蓋をせず主として焼くのみであったので蓋は必要ではなかった。
【考案の概要】
【考案が解決しようとする課題】
【０００３】  以上述べた従来のお弁当の調理では、料理内容に適した何種類かの調理器具を使うため、調理後に複数の調理器具を洗う必要がある。そのため、水や洗剤を多量に使うことになるので、無駄が多かった。また、洗い物が多くなるので、家事の時間も長くなるという問題もあった。一方、お弁当のおかずとしての定番の卵焼きを焼く卵焼き器をその他のおかずの調理に使おうと思っても、卵焼き器には専用の蓋が無いため、調理する時に熱が逃げて調理時間が長くなる。
また、他の調理器具の蓋を卵焼き器に利用しても、卵焼き器の取っ手が斜め上に出っ張っているがため、大き目の丸い蓋は斜めにずり落ちたり、小さい丸い蓋は四隅から熱が逃げるので、全体を覆うことができなかった。
本考案はこれらを考えた時、卵焼き器に専用の蓋があれば、一台の卵焼き器が多目的に使える上、上記の課題となる無駄をなくし、効率よく調理できる調理器具の提供を目的とする。
【課題を解決するための手段】
【０００４】  本考案は上記目的を達成するために、卵焼き器の開口部全体を覆い、上面が略矩形の形状を有することを特徴とする構成になっている。
また、第２の課題解決手段は、略矩形の周縁において前記卵焼き器の前記取っ手に対応する部分に切欠けを設けた構成としている。
【考案の効果】
【０００５】  お弁当の少量のおかず作りが卵焼き器専用の蓋を用いることにより、複数の調理器具を使わずに済み、調理台の場所も取らず、調理の後片付も早く済み、洗剤や水の使用も無駄がなく、時間も節約される。
また、卵焼き器用専用蓋として用いることによって、今まで他の調理器具に頼らねばならなかった蒸し物や、素材に厚みのある焼き物などの調理が可能で、その上、熱効率が良いため調理時間の短縮、省エネルギーにつながる。
卵焼き器用蓋に切欠けを設けた構成により蓋が安定して卵焼き器本体を覆うため蓋の角が卵焼き器に落ち込むことや蓋がずり落ちることもなく安全で安心ある。幼児のいる家庭では、熱い蓋が卵焼き器本体から落ちることは大変危険である。
【図面の簡単な説明】
【０００６】
【図１】本考案の実施の形態を示す卵焼き器用蓋の外観図である。
【図２】同卵焼き器用蓋を卵焼き器に設置した状態を示す状態図である。
【図３】本考案の第２の実施の形態を示す卵焼き器用蓋の外観図である。
【図４】同卵焼き器用蓋を卵焼き器に設置した状態を示す状態図である。
【図５】卵焼き器の外観図である。
【考案を実施するための形態】
【０００７】  以下、本考案の実施の形態を図１〜図２に基づいて説明する。
図１に本考案の卵焼き器１１の蓋１を示す。
同図に於いて、蓋１は、蓋１を移動するときに使用するつまみ２を有し、矩形形状をしている。
図２に卵焼き器１１に蓋１を用いた状態を示す。卵焼き以外の調理の場合は、図２に示すように卵焼き器１１の開口部の全体を蓋１で覆うことによって熱が逃げないので、少量のおかずの温め、蒸す、焼く、煮る等の調理は、時間も短縮できる上、食材にむらがなく熱がいきわたり効率よく無駄がなく加熱することができる。
尚、蓋１は取っ手１２に当たらないことが好ましい。
蓋１の形状は、上面が略矩形の形状を有することを特徴とする卵焼き器用蓋であり、卵焼き器１１の開口部を蓋１で覆うことができれば形は問題としない。
次に本考案の第２の実施の形態を図３と図４に基づいて説明する。
図３に本考案の卵焼き器１１の蓋１を示す。
図１の場合と同様蓋１は、蓋１を移動するときに使用するつまみ２を有し、矩形形状をしている。
また、切欠け３を、取っ手１２の部分を避けるように設けた構成とする。
図４に卵焼き器１１に蓋１を用いた状態を示す。同図に示すように取っ手１２を避けて卵焼き器１１の開口部全体をバランスよく覆うように設置することにより、蓋１が卵焼き器１１からずれたり、ずれ落ちることなく安定して蓋ができる。それにより熱が逃げることなく、無駄なく早く調理ができる。
また、卵焼き器用蓋１の材質は、温め、蒸す、焼く、煮る等の各調理温度に於いて変形しないことが好ましく、例えばアルミニウムであるとか、ステンレスとかの材質がある。
上述の切欠け３で取っ手１２を避けることにより、蓋１は卵焼き器１１の全体をほぼ均一に蓋をすることができるので、蓋１は卵焼き器１１に安定した位置に設置することができる。
【符号の説明】
【０００８】        １  蓋
２  つまみ
３  切欠け
１１  卵焼き器
１２  取っ手
【図１】
0003212684.tif 000003
【図２】
0003212684.tif 000004
【図３】
0003212684.tif 000005
【図４】
0003212684.tif 000006
【図５】
0003212684.tif 000007
(57)【要約】【課題】抱っこ紐１００を未使用時において、抱っこ紐１００を使用者の体に装着した状態で、コンパクトに収容可能な抱っこ紐収容具１を提供すること。【解決手段】抱っこ紐収容具１は、使用者の腰に回されるベルト１１０を有し、子供の体の一部を覆い、子供を保持する抱っこ紐１００に装着される抱っこ紐収容具１であって、上方が開放可能な袋形状に形成された本体１０と、本体１０の両側縁にそれぞれ形成された腰ベルト１１０に留められる一対の留め具２０を備え、一対の留め部の間から本体１０の内部に抱っこ紐１００を収容可能である。【選択図】図２
0003212687.tif 000002
【実用新案登録請求の範囲】
【請求項１】
使用者の腰に回される腰ベルトを有し、子供の体の一部を覆い、子供を保持する抱っこ紐に装着される抱っこ紐収容具であって、上方が開放可能な袋形状に形成された本体と、本体の横方向の両側縁にそれぞれ形成された腰ベルトに留められる一対の留め具を備え、一対の留め部の間から、本体の内部に抱っこ紐を収容可能な抱っこ紐収容具。
【請求項２】
本体に設けられ、袋形状に形成された袋部をさらに備え、袋部には子供を覆うケープが収容されている請求項１に記載の抱っこ紐収容具。
【考案の詳細な説明】
【技術分野】
【０００１】使用者の腰に回される腰ベルトを有し、子供の体の一部を覆い、子供を保持する抱っこ紐収容具に関する。
【背景技術】
【０００２】母親等の左右の肩に掛ける左右一対の肩ベルトと、幼児を保持する保持部とを備えた抱っこ紐が提案されている。
【先行技術文献】
【特許文献】
【０００３】
【特許文献１】特開２０１３−１１６１６６号公報
【考案の概要】
【考案が解決しようとする課題】
【０００４】子育て中の人が多く利用している抱っこ紐は、抱っこ紐として使っていない時は足元のほうに垂れ下がっており、見た目も悪く大変危険である。
本考案は、抱っこ紐を未使用時において、抱っこ紐を使用者の体に装着した状態で、コンパクトに収容可能な抱っこ紐収容具を提案することを目的とする。
【課題を解決するための手段】
【０００５】使用者の腰に回される腰ベルトを有し、子供の体の一部を覆い、子供を保持する抱っこ紐に装着される抱っこ紐収容具であって、上方が開放可能な袋形状に形成された本体と、本体の横方向の両側縁にそれじれ形成された腰ベルトに留められる一対の留め具を備え、一対の留め部の間から、本体の内部に抱っこ紐を収容可能な抱っこ紐収容具。【０００６】本体に設けられ、袋形状に形成された袋部をさらに備え、袋部には子供を覆うケープが収容されている請求項１に記載の抱っこ紐収容具。
【考案の効果】
【０００７】本考案によれば抱っこ紐を未使用時において、抱っこ紐を使用者の体に装着した状態で、コンパクトに収容可能な抱っこ紐収容具を提供できる。
【図面の簡単な説明】
【０００８】
【図１】本考案の実施形態に係る抱っこ紐収容具を装着させた抱っこ紐の使用状態を示す図である。
【図２】本考案の実態形態に係る抱っこ紐収容具に抱っこ紐が収容された状態を示す図である。
【図３】本考案の実態形態に係る抱っこ紐収容具を正面から視た図である。
【図４】本考案の実態形態に係る抱っこ紐収容具からケープを引き出した状態を示す図である。
【考案を実施するための形態】
【０００９】抱っこ紐収容具１は、使用者の腰に回される腰ベルト１１０を有し、子供の体の一部を覆い、子供を保持する抱っこ紐１００に装着される抱っこ品収容具１であって、上方が開放可能な袋形状に形成された本体１０と、本体１０の両側縁にそれぞれ形成された腰ベルト１１０に留められる一対の留め具２０を備え、一対の留め部の間から、本体１０の内部に抱っこ紐１００を収容可能である。
【００１０】抱っこ紐収容具１は、本体１０に設けられ、袋形状に形成された袋部３０をさらに備え、袋部３０には子供を覆うケープ４０が収容されている。
【００１１】抱っこ紐１００を利用するとき、ケープなど布をかけて利用している人が多い。このような場合、抱っこ紐収容具１によれば、袋部３０からケープ４０を取出し使用することができる。
また、ケープ４０は取り外し式ボタンにより、弾性部材（例えばゴム紐）を介してつながっていて、紛失を防止することができる。
【００１２】ケープ４０には、生地に直接取り外し式ボタンが三組、先端に取り外し式ボタンを付けた紐がついており、何通りもの使い方ができる。
さらに、ケープ４０を抱っこ紐収容具１から取り外すと、ベビーカーに乗っている子供にかけることもできる。このとき付属の取り外し式ボタンがついた紐でベビーカーに取り付けることもでき、ケープ４０の落下防止にもなる。
ケープ４０は取り外し式ボタンを何か所にもつけたおかげで、子供を抱っこしたまま授乳する場合には、周りの人の目を気にしないで授乳することが可能となる。
また、子供が抱っこで寝てしまった時、取り外し式ボタンの位置を変えると毛布代わりにもなる。袋部３０に関しては、袋部３０の開閉部分にゴムを入れて生地を縮ませているので、ケープ４０が袋部３０からはみ出しにくくなっている。
さらに、袋部３０の開閉部分に取り外し式ボタンまたは蓋を付けているので、さらに落下防止になっている。
【符号の説明】
【００１３】１  抱っこ紐収容具
１０  本体
２０  留め具
３０  袋部
４０  ケープ
１００  抱っこ紐
１１０  腰ベルト
【図１】
0003212687.tif 000003
【図２】
0003212687.tif 000004
【図３】
0003212687.tif 000005
【図４】
0003212687.tif 000006
(57)【要約】      （修正有）【課題】前方の切断装置において、Ｖ型カツトの正確なＶ型カツト位置に切断することができる袋製造装置を提供する。【解決手段】巻物の長尺第一パネルと第二パネルの重なったパネル１を、巻解きながら、袋の製造を行う工程に於いて、パネルの印刷位置を第一センサ２にて検知して、第一サボモータ６の送りを停止させて、袋用の熱接着４と、同時に次の工程にて、Ｖ型カット３を行う。次に第一サボモータ６と第二サボモータ１０の停止ずれを補足するための、ダンサーロール７が設けられている。前記の、Ｖ型カット位置を第二センサー８にて検知して、第二サボモータ１０を停止させて、前方の切断装置１１にて切断する、一連の装置を設けた。【選択図】図１
0003212689.tif 000002
【実用新案登録請求の範囲】
【請求項１】
袋の製造機械の袋製造装置において、
巻物の長尺第一パネルと第二パネルの重なったパネルを、巻解きながら、袋の製造を行う工程に於いて、パネルの印刷位置を第一センサにて検知して、第一サボーモータの送りを停止させて、袋用の熱接着と、同時に次の工程にて、Ｖ型カットを行う、次に第一サボモータと第二サボモータの停止ずれを補足するための、ダンサーロールが設けられていることが本考案である、
前記の、Ｖ型カット位置を第二センサーにて検知して、第二サボモータを停止させて、前方の切断装置にて切断する、一連の装置を設けた袋製造装置。
【請求項２】
巻物の長尺第一パネルと第二パネルの重なったパネルを、巻解きながら、袋の製造を行う工程に於いて、第一パネルと第二パネルの間に商品を挿入させて、包装袋を製造させる装置を設ける、請求項１記載の袋製造装。
【考案の詳細な説明】
【技術分野】
【０００１】  本考案は、袋を製造する装置に関する。
【背景技術】
【０００２】  従来の袋の製造する装置は、袋の印刷位置を合わせて、Ｖ型カツトを行うと最終の切断位置にて、印刷位置のずれにて、Ｖ型カツトの所定の位置を切断することができない。【０００３】
【考案の概要】
【考案が解決しようとする課題】
【０００４】  従来の袋の製造する装置において、袋の印刷位置に合わせて、Ｖ型カツトを行うと、印刷位置のずれを調節すると、前方の切断位置が印刷位置のずれだけ、Ｖ方カツト位置がずれる。【０００５】  上記の工程によつて、前方の切断位置がＶ型カット位置がずれる。
【課題が解決するための手段】
【０００６】  巻物の長尺第一パネルと第二パネルの重なったパネルを、巻解きながら、袋の製造を行う工程に於いて、パネルの印刷位置を第一センサにて検知して、第一サボーモータの送りを停止させて、袋用の熱接着を行う、次の工程にて、Ｖ型カットを行う、次に第一サボモーターと第二サボモーターの停止ずれを補足するための、本考案のダンサーロールが設けられている。
前記の、Ｖ型カット位置を第二センサーにて検知して、第二サボモーターを停止させて、前方の切断装置にて切断する、一連の装置を設けた手段。
【考案の効果】
【０００７】袋の製造する装置において、
パネルの印刷位置をあわせて、Ｖ型カット位置を、前方の切断装置において、Ｖ型カツトの正確なＶ型カツト位置に切断することができる。
【０００８】  Ｖ型カツト位置をセンサにて、検出することによって、Ｖ型カットのＶ型のＶの正底部を正確に切断することができる。
【０００９】  第一サボモータと第二サボモータの停止を補足するために、本考案のダンサーロールが設けられている。
【００１０】
【考案を実施するための形態】
【００１１】  本考案の実施の形態を図面を参照しながら詳細に説明する。なお、以下の説明にあたって、同一構成要件については、同一符号を付けて、重複した説明を省略する。
【００１２】  袋製造装置において、
巻物の長尺第一パネルと第二パネルの重なったパネル１を、巻解きながら、袋の製造を行う工程に於いて、パネルの印刷位置を第一センサ２にて検知して、第一サボーモータ６の送りを停止させる、
【００１３】  パネル１の停止時に熱接着４を行う、次の工程にて、同時にＶ型カット３を行う、
【００１４】  次に第一サボモータ６と第二サボモータ１０の停止を補足するために、本考案のダンサーロール７が設けられている、
【００１５】  前記の、Ｖ型カット位置４を第二センサ８にて検知して、第二サボモータ１０を停止させて、前方の切断装置１１にて切断する、一連の装置を設けた袋製造装置。
【００１６】  巻物の長尺第一パネルと第二パネルの重なったパネルを、巻解きながら、袋の製造を行う過程に於いて、第一パネルと第二パネルの間に商品を挿入させて、包装袋を製造させる装置を設ける、請求項１記載の袋製造装。
【図面の簡単な説明】
【００１７】
【図１】  製造装置の全体説明図。
【図２】  製造装置のパネルの平面説明図。
【図３】  Ｖ型カツト袋の製袋説明図。
【符号の説明】  １  パネル
２  第一センサ
３  Ｖ型カット装置
４  熱接着装置
５  送りロールー
６  第一サボモータ
７  ダンサーロール
８  第二センサ
９  送りロールー
１１  前方切断装置
１２  Ｖ型カツト部
１３  パネルの印刷位置
１４  熱接着部
【図１】
0003212689.tif 000003
【図２】
0003212689.tif 000004
【図３】
0003212689.tif 000005
(57)【要約】      （修正有）【課題】光源のＬＥＤチップと光源より照射された光の拡散により、明るい光をより広範囲に照射する充電式ポータブルＬＥＤ投光器を提供する。【解決手段】充電式ポータブルＬＥＤ投光器の光源であるＬＥＤチップとしてＣＯＢチップ１を用いることで、ＳＭＤチップを用いるより明るい光を照射できるようにし、さらにドーム型レンズ２を設け、その周辺を囲むようにアルミ反射板３を備えることで、より広範囲に光を照射する。【選択図】図１
0003212657.tif 000002
【実用新案登録請求の範囲】
【請求項１】
充電式ポータブルＬＥＤ投光器において、光源のＬＥＤチップとしてＣＯＢチップを用いることにより、ＳＭＤチップを用いるより明るい光を照射することができ、その光を拡散するためにドーム型のレンズとそれを囲むようにアルミ反射板を備えることにより、明るい光をより広範囲に照射することを特徴とする充電式ポータブルＬＥＤ投光器。
【考案の詳細な説明】
【技術分野】
【０００１】
本考案は、より広い範囲に光を照射するための構造を備えた充電式のポータブルＬＥＤ投光器に関するものである。
【考案の概要】
【考案が解決しようとする課題】
【０００２】
充電式ポータブルＬＥＤ投光器において、光源のＬＥＤチップ、レンズ、反射板の組合せや形状を工夫することにより、明るい光をより広範囲に照射させようとするものである。
【課題を解決するための手段】
【０００３】
本考案は、充電式ポータブルＬＥＤ投光器の光源として使用するＬＥＤチップとしてＣＯＢチップを用い、光を拡散するためのレンズにドーム型レンズを使用し、その周囲をアルミ反射板で円形に囲むことにより、よく使用されているＳＭＤチップを用いた方法と比べ、明るい光をより広範囲に照射する。
【考案の効果】
【０００４】
上述の様に、光源にＣＯＢチップを用いることでＳＭＤチップより明るい光を照射することのできるようになり、その光を拡散するためにドーム型レンズとアルミ反射板を設置することにより、より広範囲に光を照射することに役立つ。
【図面の簡単な説明】
【０００５】
【図１】本充電式ポータブルＬＥＤ投光器の立体図である。
【符号の説明】
【０００６】
１  ＣＯＢチップ
２  ドーム型レンズ
３  アルミ反射板
【図１】
0003212657.tif 000003
(57)【要約】      （修正有）【課題】首との隙間に入る冷気を大幅に防ぎ、保温効果を高めることができるネックウォーマーを提供する。【解決手段】ネックウォーマー１の首回りを包囲する筒に付いているホック２、３を留めることにより、首との隙間を調整することによって保温効果を得ることができる。【選択図】図１
0003212692.tif 000002
【実用新案登録請求の範囲】
【請求項１】
首回りを包囲する筒状のネック部から成るネックウォーマーであって、本体にホックが付いており、ホックを留めることで外周のサイズを調整することができ、首の隙間が減り、保温効果を高める機能を持つことを特徴とするネックウォーマー。
【考案の詳細な説明】
【技術分野】
【０００１】  本考案は、首回りを保温するためのネックウォーマーに関するものである。
【背景技術】
【０００２】  従来より寒い季節には外気に晒され易い首回りを保温することで良好な防寒効果が得られることが知られており、特に寒い季節ではネックウォーマーやマフラーを首に装着したりすることが行われている。
【考案の概要】
【考案が解決しようとする課題】
【０００３】  しかしながら、一般的な筒状のネックウォーマーでは、首との間に隙間ができ、冷気が入り込み、寒さを感じるという不具合もあった。
【課題を解決するための手段】
【０００４】  本考案は、首回りを包囲する筒に付いているホックを留めることにより、首との隙間を調整することによって保温効果を得ることを特徴とするものである。
【考案の効果】
【０００５】  本考案のネックウォーマーのホックを留めることにより、冷気の入る隙間が減り、より保温効果を得ることができる。さらに運動などを行い、体温上昇した場合、ホックを外し、冷気を取り込むことにより体温調節を容易に行うことができる。
【図面の簡単な説明】
【０００６】
【図１】本考案を実施する形態の一例を示す図である。
【符号の説明】
【０００７】    １  ネックウォーマー
２  ホック
３  ホック
【図１】
0003212692.tif 000003
(57)【要約】      （修正有）【課題】ガラス戸の内側に設ける防犯用アルミカーテンを提供する。【解決手段】上下両端に枠を作りアルミで平らな棒状に作るカーテンのように上下につるして開け閉めできるようにする左右の枠１内に棒３を取り付け、どちらかを固定し、反対側に、鍵を取り付け、内側から鍵をかけたり外したりできるようにする。【選択図】図１
0003212693.tif 000002
【実用新案登録請求の範囲】
【請求項１】
家屋のガラス戸の外枠に対応する矩形枠と、矩形枠内にアルミの平らな棒状に作るカーテンのように上下につるして開け閉めできるようにする左右の枠内に棒を取り付け、どちらかを固定する反対側に棒を取り付け、鍵を取り付ける内側から鍵をかけたり外したりできるようにするアルミカーテン。
【考案の詳細な説明】
【技術分野】
【０００１】ガラス戸の内側に設ける防犯用扉に関する。
【背景技術】
【０００２】ガラス戸に加えてカーテンや網戸は、外部の風や光を取り入れるために用いられていた。
【考案の概要】
【考案が解決しようとする課題】
【０００３】  カーテンや網戸では防犯上機能せず、ガラス戸だけではガラスを割られることがあった。
【課題を解決するための手段】
【０００４】    上下両端に枠を作りアルミで平らな棒状に作るカーテンのように上下につるして開け閉めできるようにする左右の枠内に棒を取り付け、どちらかを固定する反対側に棒を取り付け、鍵を取り付ける内側から鍵をかけたり外したりできるようにするアルミカーテン。
【図面の簡単な説明】
【０００５】
【図１】本考案のアルミカーテンの一実施例を示す図である。
【考案を実施するための形態】
【０００６】  家の部屋にガラス戸がついてますが鍵をかけても、ガラスを割られ鍵を外して簡単に家の中に入ってお金やいろいろなものを持っていかれる又は一人暮らし入って乱暴されたり、殺害されたり頻繁に起こっています。ガラス戸の内側にサッシでカーテンのようなものを取り付ける。
【０００７】  ３ｃｍから５ｃｍの間隔で２ｃｍ巾のアルミの平らな棒状にして上下につるして左右に枠を作る。
左右の枠内に棒を取り付け固定する左右に鍵をかけるようにし、外から外せないようにすることで、窓を開けても安心である。
【０００８】  両枠内に丸棒を入れる片側に棒を取り付ける。
もう片側に鍵を取り付ける。さらに外から外れないようにする。
【符号の説明】
【０００９】１  枠
２  つりがね
３  丸棒
【図１】
0003212693.tif 000003
(57)【要約】【課題】本考案はお尻またはお尻周りの汗による汗ジミを防止する為の、ボクサーパンツ、トランクス、スパッツを開発・提供するものである。【解決手段】平面視略扇型を画くような形状を有し、肌側からマーバス生地、吸水パイル生地、吸水布ディスメル、防水シート、身生地の順に重ねてなる６枚の吸水シートの、上記扇型のパッドの端縁を縫合等して一体化し、６枚のシートを全体として平面視が扇形を形状とした吸収パッドを、パンツ主体の後身頃中央部位の内部を覆う位置に配し、吸水パッドの端縁全周がパンツ主体に縫着されている。【選択図】図３
0003212814.tif 000002
【実用新案登録請求の範囲】
【請求項１】
平面視略扇型を画くような形状を有し、肌側からマーバス生地、吸水パイル生地、吸水布ディスメル、防水シート、身生地の順に重ねてなる６枚の吸水シートの、上記扇型のパッドの端縁を縫合等して一体化し、６枚のシートを全体として平面視が扇形を形状とした吸収パッドを、パンツ主体の後身頃中央部位の内部を覆う位置に配し、吸水パッドの端縁全周がパンツ主体に縫着されていることを特徴とするケツ汗ジミ防止パッド付き一体型パンツ。
【考案の詳細な説明】
【技術分野】
【０００１】本考案は、パンツ部分に給水パッドを設けた、パンツに関するものである。
【背景技術】
【０００２】女性の生理用ナプキン等の吸水性、保水性、逆流防止機能、装着する衣類との接着面をもつ素材をパンツ（下着）の内側後の腰周りから、お尻の割れ目に沿ってＴの字の形状にカットした、使用時にパンツの内側後に装着する汗取り使い捨てパッドなどが知られている。
【先行技術文献】
【特許文献】
【０００３】
【特許文献１】実登３１０５２５０号公報
【考案の概要】
【考案が解決しようとする課題】
【０００４】使い捨てパッドでは経済的負担も大きく、保管する際スペースも必要になる。さらにＴの字の形状だけでは防げない汗がある。従ってパンツと吸水パッドを一体化することにより、繰り返し着用が可能になり前述の欠点を解決しようとするものである。
【課題を解決するための手段】
【０００５】本考案は平面視略扇型を画くような形状を有し、肌側からマーバス生地、吸水パイル生地、吸水布ディスメル、防水シート、身生地の順に重ねてなる６枚の吸水シートの、上記扇型のパッドの端縁を縫合等して一体化し、６枚のシートを全体として平面視が扇形を形状とした吸収パッドを、パンツ主体の後身頃中央部位の内部を覆う位置に配し、吸水パッドの端縁全周がパンツ主体に縫着されていることにより問題点を解決している。
【考案の効果】
【０００６】上述の様に、本考案のケツ汗ジミ防止パッド付き一体型パンツは、パンツ主体に吸水パッドを縫着されている為、お尻全体の汗ジミを防ぐことが可能になり、洗濯により何度も着用が可能になり経済的負担やゴミを減らすことができる。
【図面の簡単な説明】
【０００７】
【図１】本考案のケツ汗ジミ防止パッド付き一体型パンツの正面図
【図２】本考案のケツ汗ジミ防止パッド付き一体型パンツの背面図
【図３】本考案のケツ汗ジミ防止パッド付き一体型パンツを内外反転した後身頃内部を示す図
【図４】吸水パッドの断面図
【考案を実施するための形態】
【０００８】図３の後ろ身頃内側に図２の給水パッドを装着する。
【産業上の利用可能性】
【０００９】これらのパンツの製造技術を確立することにより、この技術に基づいて、製造・販売することにより、産業上の利用可能性を有する。
【符号の説明】
【００１０】１  ケツ汗ジミ防止パッド付き一体型パンツ
２，３  前身頃
４  後身頃
５  吸水パッド
６  マーバス
７  吸水パイル
８  吸水布ディスメル
９  防水シート
１０  身生地
【図１】
0003212814.tif 000003
【図２】
0003212814.tif 000004
【図３】
0003212814.tif 000005
【図４】
0003212814.tif 000006
(57)【要約】      （修正有）【課題】洗い桶から溢れ出る洗浄水を再利用して、水の有効利用を行う洗い桶を提供する。【解決手段】複槽式の洗い桶として、上流の洗い桶の洗浄水が下流の洗い桶へ流入・流出する流出及び流入口を設けた。【選択図】図３
0003212819.tif 000002
【実用新案登録請求の範囲】
【請求項１】
複数の水槽を有する事を特徴とする洗い桶。
【請求項２】
洗い桶に洗浄水の流出及び流入口が有る事を特徴とする請求項１の洗い桶。
【考案の詳細な説明】
【考案の概要】
【考案が解決しようとする課題】
【０００１】単槽の洗い桶では、桶から溢れ出る水は排水されるだけで水を有効利用が出来ない問題点が有った。
【課題を解決する為の手段】
【０００２】洗浄水が複数の洗い桶を連続的に流れた後、排水する様にした。
【考案の効果】
【０００３】上流の洗い桶から流水する洗浄水を下流の洗い桶でも洗浄水として再利用する事により、水を有効利用できる様にした。
【図面の簡単な説明】
【図１】平面図
【図２】立面図
【図３】流水モデル図
【図４】流水モデル図
【図１】
0003212819.tif 000003
【図２】
0003212819.tif 000004
【図３】
0003212819.tif 000005
【図４】
0003212819.tif 000006
(57)【要約】      （修正有）【課題】個々の積木に精度や特別な構造を求めること無く、安定して積木を積み上げる事ができる積木用台座を提供する。【解決手段】本考案の積木用台座は、台座１の縁に沿って突起部１ａを設け、縁に置いた積木２を内側の積木にもたれかからせるようにすることで、台座の縁で同じ方向に向け列状に積み上げたり、立てて並べた積木の収まりを安定させるとともに、崩れ難くなるようにした。【選択図】図２
0003212815.tif 000002
【実用新案登録請求の範囲】
【請求項１】
縁に沿って突起部を設け、縁に積んだ積木が崩れ難くなるようにした積木用台座。
【請求項２】
請求項１記載の突起部が、積木の載る面となめらかなスロープでつながる積木用台座。
【考案の詳細な説明】
【技術分野】
【０００１】  本考案は、縁に突起部を設けた積木を載せる台座に関するものである。
【背景技術】
【０００２】  従来の平らな積木用台座の上に、任意の数量が規則的に納まる長さの短辺と長辺で構成された四角柱の積木を、様々な置き方により空洞を残さずまた台座からはみ出さないようにきっちりと積み上げる遊びにおいて、寝かせた積木を交互に入れ替えて積み上げるのではなく同じ方向に向け列状に積み上げた場合や、積木を立てて並べた場合に、製作上許容される個々の積木のわずかな誤差の影響によって不安定な状態になり、台座の縁の積木は外側にもたれかかるものが無いので、外に傾いて収まりが悪かったり、崩れやすくなるという欠点があった。
【考案の概要】
【考案が解決しようとする課題】
【０００３】  しかしながら、個々の積木の精度を安定する状態にまで上げるのは非常に困難であり、また積木に三点支持や四点支持のための突起を設ける方法は積木のデザインに制約を課すことになる。本考案は、個々の積木に精度や特別な構造を求めること無く、安定して積木を積み上げる事ができる台座の提供を目的としている。
【課題を解決するための手段】
【０００４】  上記目的を達成するために、本考案は、台座の縁に沿って突起部を設けることにより、縁に置いた積木が内側の積木にもたれかかるようにすることで、台座の縁で同じ方向に向け列状に積み上げたり、縁に立てて並べた積木の収まりを安定させ、崩れ難くなるようにした積木用台座を提供する。
【考案の効果】
【０００５】  上述のように、本考案の積木用台座は、台座の縁に沿ってに突起部を設け、縁に積む積木をやや内側にもたれかかる状態にすることで、台座の縁で積木を積み上げたり、縁に積木を立てて置いたときに、積木が外側に傾くことが無くなり、また容易に崩れることも無くなるので、台座の上にきっちりと安定して収めることに役立つ。
【図面の簡単な説明】
【０００６】
【図１】本考案の積木用台座の斜視図である。
【図２】本考案の積木用台座の実施例を示す斜視図である。
【図３】本考案の積木用台座の別の実施例を示す斜視図である。
【図４】本考案の積木用台座の突起部の形状例を示す斜視図である。
【考案を実施するための形態】
【０００７】  本考案の積木用台座の実施の形態を図に基づいて説明すると、図１に示すように、台座１の上面の所定の縁に突起部１ａを設けた形態である。
【実施例】
【０００８】  本考案の実施例を図に基づいて説明すると、図２に示すように、台座１に規則的に積み上げられた積木のうち、所定の縁に同じ方向に向け列状に並べた積木２は、突起部１ａによってやや内側に傾き、その上に積む積木も同様に内側に傾いた状態で積み上がるので、所定の縁に列状に積み上がった積木は、すべて内側の積木の塊にもたれかかり、外側に傾いたり崩れたりすること無く安定する。【０００９】  また、本考案の別の実施例を図に基づいて説明すると、図３に示すように、台座１に規則的に積み上げられた積木のうち、所定の縁に立てて並べた積木２は、突起部１ａによって内側に傾こうとするモーメントが生まれ、内側の積木の塊にもたれかかろうとすることで、外側に傾いたり崩れたりすること無く安定する。【００１０】  また、図４に示すように、突起部１ａを台座１の上面となめらかな面でつなぐことにより、突起部１ａを目立たなくすることもできる。
【符号の説明】
【００１１】  １    台座
１ａ  突起部
２    積木
【図１】
0003212815.tif 000003
【図２】
0003212815.tif 000004
【図３】
0003212815.tif 000005
【図４】
0003212815.tif 000006
(57)【要約】      （修正有）【課題】ブラシとオイル、靴墨、靴磨き布などその他の用具を１セット一体にしたシューシャインを提供する。【解決手段】ブラシとグリップから成る靴磨き用ブラシ１において、グリップ部２を収納箱型にし、その中に靴磨き用具セットを１つにまとめて入れておくのであるが、収納箱は開閉式になっており、このように形成された靴磨き用ブラシ１を巾着袋９に収容しておくのだが、巾着袋９の裏側即ち内面は綿で形成してあり、ブラッシング後の最終仕上げに際して巾着袋９を裏返しにして綿生地面が使用される。【選択図】図１
0003212861.tif 000002
【実用新案登録請求の範囲】
【請求項１】
ブラシとグリップから成る靴磨き用ブラシにおいてグリップ部を収納箱にし、その中に靴磨き用具セットを１つにまとめて入れておくのであるが収納箱は、蓋開閉式になっており、このように形成された靴磨きブラシを巾着袋に収容しておくが、巾着袋の裏側即ち内面は綿１００％のような生地で形成してあり、ブラッシング後の最終仕上げに際して巾着袋を裏返しにして使用されることを特徴とするシューシャインである。
【考案の詳細な説明】
【技術分野】
【０００１】
本考案は、靴磨きブラシに靴磨きセット収納箱を一体化させ、磨き仕上げ巾着袋に収納したものである。
【背景技術】
【０００２】
靴磨き用のブラシは知られている。
【０００３】
靴磨きセットという、収納箱は知られている。
【０００４】
靴磨き仕上げ布は知られている。  
【考案の概要】
【考案が解決しようとする課題】
【０００５】
その為に次のような課題があった。
ブラシや、オイル、靴墨、靴磨き布などはあるが、全て別個になっているため、別個に揃えなければならない。また、持ち運びには適さない。
【課題を解決するための手段】
【０００６】
ブラシとグリップから成る靴磨き用ブラシにおいてグリップ部を収納箱にし、その中に靴磨き用具セットを１つにまとめて入れておくのであるが収納箱は、蓋開閉式になっており、このように形成された靴磨きブラシを巾着袋に収容しておくが、巾着袋の裏側即ち内面は綿１００％のような生地で形成してあり、ブラッシング後の最終仕上げに際して巾着袋を裏返しにして使用される。
【考案の効果】
【０００７】
靴磨き用具が１つにまとまってセットになっているので、使用初めに際しても持ち運びにも便利で利用しやすい。
【図面の簡単な説明】
【０００８】
【図１】本考案において中身が見えるよう巾着袋を透明にして示した斜視図
【図２】本考案の収納箱を空けた状態を示す斜視図
【図３】本考案の一部である巾着袋の外側を示した図
【図４】本考案の使用にあたって巾着袋を裏返して磨く時の状態を示した斜視図
【考案を実施するための形態】
【０００９】
以下本考案の実施の形態について説明する
(イ)本考案は、靴磨き用ブラシ(１)のグリップ部(２)に収納箱(３)を設け、靴磨き各種用
具セット(４)を収納出来るようになっている。
(ロ)収納箱(３)の蓋(５)は、蝶番(６)で固定し、外せば開き、閉じ留めれば、固定される。
(ハ)蓋(５)の裏面には、靴磨き方法の手順(７)がプリントされている。
(二)このブラシ一体型靴磨きセット(８)は、巾着袋(９)にさらに収容されている。巾着袋の裏面は、仕上げ加工に適した綿１００％のような生地(１０)で出来ており、手(１１)を入れて使用する。
【符号の説明】
【００１０】
１    靴磨き用ブラシ
２    グリップ部
３    収納箱
４    靴磨き各種用具セット
５    蓋
６    蝶番
７    靴磨き方法の手順
８    ブラシ一体型靴磨きセット
９    巾着袋
１０  綿１００％のような生地
１１  手
【図１】
0003212861.tif 000003
【図２】
0003212861.tif 000004
【図３】
0003212861.tif 000005
【図４】
0003212861.tif 000006